(57)【特許請求の範囲】
【請求項１】
コンテンツを再生可能な携帯再生装置に前記コンテンツを送信する情報処理装置において；
前記コンテンツを，該コンテンツを識別する識別子と関連付けて記憶するコンテンツ記憶部と；
前記携帯再生装置に記憶される前記コンテンツを識別する識別子が含まれるコンテンツリストを取得するコンテンツリスト取得部と；
前記コンテンツ記憶部から，前記コンテンツリスト取得部が取得した前記コンテンツリストに含まれないコンテンツの識別子を，前記携帯再生装置に送信するコンテンツの識別子として取得する送信コンテンツ取得部と；
前記携帯再生装置から，該携帯再生装置から削除されたコンテンツの識別子が含まれる削除済リストを取得する削除済リスト取得部と；
前記送信コンテンツ取得部が取得した前記コンテンツの識別子が，前記削除済リスト取得部が取得した前記削除済リストに含まれない場合に，該コンテンツの前記携帯再生装置への送信を許可する送信可否判断部と；
前記送信可否判断部によって送信を許可されたコンテンツを前記携帯再生装置に送信するコンテンツ送信部と；
を備えることを特徴とする情報処理装置。
【請求項２】
接続された前記携帯再生装置に記憶されるコンテンツを該携帯再生装置から削除する削除実行部と；
前記削除実行部により削除されたコンテンツの識別子を前記削除済リストに追加する削除済リスト更新部と；
を備えることを特徴とする，請求項１に記載の情報処理装置。
【請求項３】
前記携帯再生装置との通信接続を検出する接続検出部と；
前記接続検出部により前記携帯再生装置との通信接続が検出された場合に，前記携帯再生装置上で削除要求されたコンテンツの識別子が含まれる削除予定リストを前記接続された携帯再生装置から取得する削除予定リスト取得部と；
を備え，
前記削除実行部は，前記削除予定リストに含まれる前記コンテンツの識別子に対応するコンテンツを，前記携帯再生装置から削除することを特徴とする，請求項２に記載の情報処理装置。
【請求項４】
前記携帯再生装置への転送を要求するコンテンツを選択させる選択部と；
前記選択部により選択された前記コンテンツの識別子が前記削除済リストに含まれている場合に，該識別子を該削除済リストから消去する削除済リスト更新部と；
を備えることを特徴とする，請求項１に記載の情報処理装置。
【請求項５】
前記コンテンツ送信部は，前記選択部により選択された前記コンテンツを，該コンテンツの識別子が前記削除済リストに含まれているか否かに関わらず前記携帯再生装置に送信することを特徴とする，請求項４に記載の情報処理装置。
【請求項６】
前記携帯再生装置に記憶されるコンテンツの識別子が含まれた管理リストを前記携帯再生装置から取得する管理リスト取得部をさらに備え，
前記送信コンテンツ取得部は，前記管理リストに含まれないコンテンツの識別子を前記コンテンツ記憶部から取得することを特徴とする，請求項１に記載の情報処理装置。
【請求項７】
コンテンツを再生可能な携帯再生装置に前記コンテンツを送信する情報処理装置をして；
前記携帯再生装置に記憶される前記コンテンツを識別する識別子が含まれるコンテンツリストを取得するコンテンツリスト取得処理と；
前記コンテンツを該コンテンツを識別する識別子と関連付けて記憶するコンテンツ記憶部から，前記コンテンツリスト取得部が取得した前記コンテンツリストに含まれないコンテンツの識別子を，前記携帯再生装置に送信するコンテンツの識別子として取得する送信コンテンツ取得処理と；
前記携帯再生装置から，該携帯再生装置から削除されたコンテンツの識別子が含まれる削除済リストを取得する削除済リスト取得処理と；
前記送信コンテンツ取得処理で取得した前記コンテンツの識別子が，前記削除済リスト取得処理で取得した前記削除済リストに含まれない場合に，該コンテンツの前記携帯再生装置への送信を許可する送信可否判断処理と；
前記送信可否判断処理で送信を許可されたコンテンツを前記携帯再生装置に送信するコンテンツ送信処理と；
を実行せしめることを特徴とするコンピュータプログラム。
【請求項８】
コンテンツを再生可能な携帯再生装置に前記コンテンツを送信する情報処理方法において；
前記携帯再生装置に記憶される前記コンテンツを識別する識別子が含まれるコンテンツリストを取得するコンテンツリスト取得ステップと；
前記コンテンツを該コンテンツを識別する識別子と関連付けて記憶するコンテンツ記憶部から，前記コンテンツリスト取得部が取得した前記コンテンツリストに含まれないコンテンツの識別子を，前記携帯再生装置に送信するコンテンツの識別子として取得する送信コンテンツ取得ステップと；
前記携帯再生装置から，該携帯再生装置から削除されたコンテンツの識別子が含まれる削除済リストを取得する削除済リスト取得ステップと；
前記送信コンテンツ取得ステップで取得した前記コンテンツの識別子が，前記削除済リスト取得ステップで取得した前記削除済リストに含まれない場合に，該コンテンツの前記携帯再生装置への送信を許可する送信可否判断ステップと；
前記送信可否判断ステップにおいて送信を許可されたコンテンツを前記携帯再生装置に送信するコンテンツ送信ステップと；
を含むことを特徴とする情報処理方法。
【請求項９】
接続された前記携帯再生装置に記憶されるコンテンツを該携帯再生装置から削除する削除実行ステップと；
前記削除実行ステップにより削除されたコンテンツの識別子を前記削除済リストに追加する削除済リスト更新ステップと；
を含むことを特徴とする，請求項８に記載の情報処理方法。
【請求項１０】
前記携帯再生装置との通信接続を検出する接続検出ステップと；
前記接続検出ステップにより前記携帯再生装置との通信接続が検出された場合に，前記携帯再生装置上で削除要求されたコンテンツの識別子が含まれる削除予定リストを前記接続された携帯再生装置から取得する削除予定リスト取得ステップと；
を含み，
前記削除実行ステップでは，前記削除予定リストに含まれる前記コンテンツの識別子に対応するコンテンツを，前記携帯再生装置から削除すること特徴とする，請求項９に記載の情報処理方法。
【請求項１１】
前記携帯再生装置への転送を要求するコンテンツを選択させる選択ステップと；
前記選択ステップで選択された前記コンテンツの識別子が前記削除済リストに含まれている場合に，該識別子を該削除済リストから消去する削除済リスト更新ステップと；
を含むことを特徴とする，請求項８に記載の情報処理方法。
【請求項１２】
前記携帯再生装置に記憶されるコンテンツの識別子が含まれた管理リストを前記携帯再生装置から取得する管理リスト取得ステップをさらに含み，
前記送信コンテンツ取得ステップでは，前記管理リストに含まれないコンテンツの識別子を前記コンテンツ記憶部から取得することを特徴とする，請求項８に記載の情報処理装置。
【発明の詳細な説明】
【技術分野】
【０００１】
本発明は，情報処理装置，情報処理方法およびコンピュータプログラムに関し，より詳しくは，コンテンツを再生可能な携帯再生装置にコンテンツを送信する情報処理装置，情報処理方法およびコンピュータプログラムに関する。
【背景技術】
【０００２】
近年，大容量のハードディスクを搭載した携帯型の音楽プレーヤが提供されている。このような携帯型の音楽プレーヤに音楽コンテンツを取り込むためには，インターネットを介して音楽配信サーバに接続して音楽コンテンツをダウンロードする方法や，パーソナルコンピュータ等の他の情報処理装置に接続してその情報処理装置が保有する音楽コンテンツを転送する方法などがある。特に，後者の場合，情報処理装置が保有する複数の音楽コンテンツを一括して携帯型音楽プレーヤに転送することが可能とされている（例えば，特許文献１参照）。本文献に記載の情報通信システムによれば，ユーザが編集可能な転送リストに基づいて，転送リストに含まれる複数の音楽コンテンツを一括してサーバから携帯記録再生装置に転送できる。また，最近では，情報処理装置が保有する大量の音楽コンテンツを，携帯型音楽プレーヤが情報処理装置に接続された時などに自動的に転送して，情報処理装置内に格納される音楽コンテンツと携帯型音楽プレーヤに格納される音楽コンテンツとを同期させる，いわゆるオートシンク機能も提供されている。
【０００３】
【特許文献１】特開２００１−９３２２６号公報
【発明の開示】
【発明が解決しようとする課題】
【０００４】
しかし，上記のように，ユーザに転送対象のコンテンツを選択させることなく自動的に転送を行うと，ユーザが携帯型音楽プレーヤから「気に入らない」という理由などで一度削除したコンテンツまでも再度転送してしまうという問題があった。
【０００５】
そこで，本発明は，このような問題に鑑みてなされたもので，その目的とするところは，携帯型音楽プレーヤのような，コンテンツの再生を行う携帯再生装置から削除されたコンテンツを，再度その携帯再生装置に転送することなく，自動的にコンテンツの転送を行うことの可能な情報処理装置，情報処理方法およびコンピュータプログラムを提供することにある。
【課題を解決するための手段】
【０００６】
上記課題を解決するために，本発明のある観点によれば，コンテンツを再生可能な携帯再生装置にコンテンツを送信する情報処理装置において；コンテンツを該コンテンツを識別する識別子と関連付けて記憶するコンテンツ記憶部と；コンテンツ記憶部から携帯再生装置に送信するコンテンツの識別子を取得する送信コンテンツ取得部と；携帯再生装置から，該携帯再生装置から削除されたコンテンツの識別子が含まれる削除済リストを取得する削除済リスト取得部と；送信コンテンツ取得部が取得したコンテンツの識別子が，削除済リスト取得部が取得した削除済リストに含まれない場合に，該コンテンツの携帯再生装置への送信を許可する送信可否判断部と；送信可否判断部によって送信を許可されたコンテンツを携帯再生装置に送信するコンテンツ送信部と；を備える情報処理装置が提供される。
【０００７】
上記発明によれば，情報処理装置は，携帯再生装置から取得した削除済リストに基づいて，コンテンツの送信可否を判断する。削除済リストには，携帯再生装置から削除されたコンテンツの識別子が含まれている。情報処理装置の送信可否判断部は，削除済リストに識別子が含まれていないコンテンツの転送を許可する。つまり，削除済リストに識別子が含まれているコンテンツの転送は許可されず，情報処理装置は，そのようなコンテンツを携帯再生装置に転送しない。すなわち，情報処理装置は，携帯再生装置から削除されたコンテンツをその携帯再生装置に再度転送しない。
【０００８】
上記情報処理装置は，接続された携帯再生装置に記憶されるコンテンツを該携帯再生装置から削除する削除実行部と；削除実行部により削除されたコンテンツの識別子を削除済リストに追加する削除済リスト更新部と；を備えてもよい。かかる構成によれば，情報処理装置は，携帯再生装置からコンテンツを削除し，コンテンツの削除を携帯再生装置の削除済リストに反映させることができる。
【０００９】
上記情報処理装置は，携帯再生装置との通信接続を検出する接続検出部と；接続検出部により携帯再生装置との通信接続が検出された場合に，携帯再生装置上で削除要求されたコンテンツの識別子が含まれる削除予定リストを接続された携帯再生装置から取得する削除予定リスト取得部と；を備えてもよく，その場合，削除実行部は，削除予定リストに含まれるコンテンツの識別子に対応するコンテンツを，携帯再生装置から削除するようにしてもよい。かかる構成によれば，情報処理装置は，携帯再生装置において削除予定リストに予め登録されているコンテンツを携帯再生装置から削除することができる。また，接続検出部により携帯再生装置との通信接続が検出された場合に削除予定リストの取得とコンテンツの削除処理を行うことにより，携帯再生装置においては，情報処理装置と接続された時に，削除予定リストに登録しておいたコンテンツを情報処理装置に削除してもらうことができる。
【００１０】
上記情報処理装置は，携帯再生装置への転送を要求するコンテンツを選択させる選択部と；選択部により選択されたコンテンツの識別子が削除済リストに含まれている場合に，該識別子を該削除済リストから消去する削除済リスト更新部と；を備えてもよい。かかる構成によれば，選択部を介して選択されたコンテンツの識別子は削除済リストに含まれなくなる。そのため，情報処理装置は，携帯再生装置から一度削除されたコンテンツであっても，選択部を介して例えばユーザにより選択されたコンテンツは，携帯再生装置に転送することができる。
【００１１】
上記コンテンツ送信部は，選択部により選択されたコンテンツを，該コンテンツの識別子が削除済リストに含まれているか否かに関わらず携帯再生装置に送信するようにしてもよい。かかる構成によれば，情報処理装置は，削除済リストに含まれているコンテンツであっても，選択部により選択されたコンテンツは，携帯再生装置に転送することができる。
【００１２】
上記情報処理装置は，携帯再生装置に記憶されるコンテンツの識別子が含まれた管理リストを携帯再生装置から取得する管理リスト取得部をさらに備えてもよく，その場合，送信コンテンツ取得部は，管理リストに含まれないコンテンツの識別子をコンテンツ記憶部から取得するようにしてもよい。かかる構成によれば，情報処理装置は，携帯再生装置に記憶されていないコンテンツのみをその携帯再生装置に転送することができる。つまり，携帯再生装置が既に保有しているコンテンツを，情報処理装置が重複して転送してしまうことを防止できる。
【００１３】
なお，上記の削除予定リスト取得部，削除済リスト取得部および管理リスト取得部は，接続されている携帯再生装置から各リストを情報処理装置側に移動させてもよいし，コピーを作成してもよい。または，携帯再生装置側にある各リストを読み込むだけでもよい。
【００１４】
上記課題を解決するために，本発明の別の観点によれば，コンピュータに上記の情報処理装置として機能させるコンピュータプログラムが提供される。コンピュータプログラムは，コンピュータが備える記憶部に格納され，コンピュータが備えるＣＰＵに読み込まれて実行されることにより，そのコンピュータを上記の情報処理装置として機能させる。また，コンピュータプログラムが記録された，コンピュータで読み取り可能な記録媒体も提供される。記録媒体は，例えば，磁気ディスク，光ディスクなどである。
【００１５】
上記課題を解決するために，本発明の別の観点によれば，コンテンツを再生可能な携帯再生装置にコンテンツを送信する情報処理方法において；コンテンツを該コンテンツを識別する識別子と関連付けて記憶するコンテンツ記憶部から，携帯再生装置に送信するコンテンツの識別子を取得する送信コンテンツ取得ステップと；携帯再生装置から，該携帯再生装置から削除されたコンテンツの識別子が含まれる削除済リストを取得する削除済リスト取得ステップと；送信コンテンツ取得ステップで取得したコンテンツの識別子が，削除済リスト取得ステップで取得した削除済リストに含まれない場合に，該コンテンツの携帯再生装置への送信を許可する送信可否判断ステップと；送信可否判断ステップにおいて送信を許可されたコンテンツを携帯再生装置に送信するコンテンツ送信ステップと；を含む情報処理方法が提供される。送信コンテンツ取得ステップと削除済みリスト取得ステップは，どちらのステップが先に行われてもよく，実行順序は問わない。
【００１６】
上記情報処理方法は，接続された携帯再生装置に記憶されるコンテンツを該携帯再生装置から削除する削除実行ステップと；削除実行ステップにより削除されたコンテンツの識別子を削除済リストに追加する削除済リスト更新ステップと；を含んでもよい。削除実行ステップはいつ行われても構わない。削除済リスト更新ステップは，削除実行ステップの直後か，または送信可否判断ステップの前に行われることが望ましい。
【００１７】
上記情報処理方法は，携帯再生装置との通信接続を検出する接続検出ステップと；接続検出ステップにより携帯再生装置との通信接続が検出された場合に，携帯再生装置上で削除要求されたコンテンツの識別子が含まれる削除予定リストを接続された携帯再生装置から取得する削除予定リスト取得ステップと；を含んでもよく，その場合，上記削除実行ステップでは，削除予定リストに含まれるコンテンツの識別子に対応するコンテンツを，携帯再生装置から削除してもよい。
【００１８】
上記情報処理方法は，携帯再生装置への転送を要求するコンテンツを選択させる選択ステップと；選択ステップで選択されたコンテンツの識別子が削除済リストに含まれている場合に，該識別子を該削除済リストから消去する削除済リスト更新ステップと；を含んでもよい。
【００１９】
上記情報処理方法は，携帯再生装置に記憶されるコンテンツの識別子が含まれた管理リストを携帯再生装置から取得する管理リスト取得ステップをさらに含んでもよく，その場合，送信コンテンツ取得ステップでは，管理リストに含まれないコンテンツの識別子をコンテンツ記憶部から取得してもよい。
【発明の効果】
【００２０】
以上説明したように本発明によれば，コンテンツの再生を行う携帯再生装置から削除されたコンテンツを，再度その携帯再生装置に転送することなく，自動的にコンテンツの転送を行うことの可能な情報処理装置，情報処理方法およびコンピュータプログラムを提供することができる。
【発明を実施するための最良の形態】
【００２１】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２２】
以下では，本発明にかかる情報処理装置を，音楽コンテンツを再生可能な携帯再生装置１０２に音楽コンテンツを転送する情報処理装置１００に適用して説明する。なお，本実施形態ではコンテンツを特に音楽コンテンツとして説明するが，本発明はかかる例には限定されない。本発明に含まれるコンテンツとしては，上記音楽コンテンツのほかに，例えば，公演，ラジオ番組等の音声（Ａｕｄｉｏ）コンテンツや，映画，テレビジョン番組，ビデオプログラム，写真，絵画，図表等を構成する静止画若しくは動画からなる映像（Ｖｉｄｅｏ）コンテンツ，電子図書（Ｅ−ｂｏｏｋ），ゲーム，ソフトウェアなどを挙げることができる。
【００２３】
＜全体構成＞
まず，図１に基づいて，本実施形態の概要について説明する。本実施形態にかかる情報処理装置１００は，上記のように音楽コンテンツ（以後，単にコンテンツと称する。）を情報処理装置１００に転送可能なコンピュータである。情報処理装置１００としては，例えば，パーソナルコンピュータ（以後，ＰＣとも称する。），オーディオプレーヤ，ゲーム機器などを例示できる。情報処理装置１００には，例えば，ネットワーク１０４を介してコンテンツ配信サーバ１０６からダウンロードしたコンテンツが格納される。また，情報処理装置１００には，コンパクトディスク（以後，ＣＤとも称する。）などの外部記録媒体からリッピングすることにより取得したコンテンツが格納される。
【００２４】
情報処理装置１００には，携帯再生装置１０２が接続可能である。携帯再生装置１０２は，コンテンツを再生可能なコンピュータである。携帯再生装置１０２としては，例えば，ハードディスク搭載の携帯型の音楽プレーヤ，ＰＤＡ（Ｐｅｒｓｏｎａｌ  Ｄｉｇｉｔａｌ  Ａｓｓｉｓｔａｎｔ），携帯電話などを挙げることができる。携帯再生装置１０２は，ハードディスク等の記憶装置を備え，その記憶装置にコンテンツを記憶する。本実施形態において，携帯再生装置１０２は，情報処理装置１００からコンテンツを転送され，転送されたコンテンツを記憶装置に記憶する。また，記憶装置に記憶されているコンテンツを，情報処理装置１００によって削除される。つまり，携帯再生装置１０２は，記憶装置に記憶されたコンテンツを自身で削除するのではなく，接続された情報処理装置１００によって削除してもらう。携帯再生装置１０２は，後述の管理リスト，削除予定リスト，削除済リストを備えており，それらのリストは，コンテンツの転送，コンテンツの削除の際に情報処理装置１００によって使用される。
【００２５】
情報処理装置１００は，接続された携帯再生装置１０２に情報処理装置１００に格納されているコンテンツを送信することができる。情報処理装置１００は，ユーザによって選択されたコンテンツを携帯再生装置１０２に送信することができる。また，情報処理装置１００は，情報処理装置１００に格納されている複数のコンテンツを自動的に携帯再生装置１０２に送信し，携帯再生装置１０２と情報処理装置１００とが同じコンテンツを保有するように同期させることもできる。しかし，複数のコンテンツを自動的に送信する場合，つまり，ユーザが選択したコンテンツを送信するのではなく，情報処理装置１００が選択したコンテンツを送信する場合には，ユーザが携帯再生装置１０２への転送を希望しないコンテンツまでも送信してしまう可能性が高い。例えば，ユーザが携帯再生装置１０２から一度削除したコンテンツを，情報処理装置１００が再度携帯再生装置１０２に送信してしまうことが起こりうる。そこで，本実施形態にかかる情報処理装置１００は，接続された携帯再生装置１０２から一度削除されたコンテンツを，ユーザが明示的に転送対象として選択しない限り，再度携帯再生装置１０２に転送してしまわないように制御する。以下，情報処理装置１００について詳細に説明する。
【００２６】
＜情報処理装置のハードウェア構成＞
まず，図２に基づいて，情報処理装置１００のハードウェア構成について簡単に説明する。なお，図２は，本実施形態にかかる情報処理装置１００のハードウェア構成例を概略的に示すブロック図である。
【００２７】
図２に示すように，情報処理装置１００は，例えばＣＰＵ（Ｃｅｎｔｒａｌ  Ｐｒｏｃｅｓｓｉｎｇ  Ｕｎｉｔ）１１１と，ＲＯＭ（Ｒｅａｄ  Ｏｎｌｙ  Ｍｅｍｏｒｙ）１１２と，ＲＡＭ（Ｒａｎｄｏｍ  Ａｃｃｅｓｓ  Ｍｅｍｏｒｙ）１１３と，ホストバス１１４と，ブリッジ１１５と，外部バス１１６と，インタフェース１１７と，入力装置１１８と，出力装置１２０と，ストレージ装置（ＨＤＤ）１２１と，ドライブ１２２と，接続ポート１２４と，通信装置１２５とを備える。
【００２８】
ＣＰＵ１１１は，演算処理装置および制御装置として機能し，ＲＯＭ１１２またはＨＤＤ１２１に格納された各種プログラムに従って動作し，情報処理装置１００内の各部を制御する。具体的な処理としては，例えば，コンテンツの送信可否の判断処理などを実行する。
【００２９】
ＲＯＭ１１２は，ＣＰＵ１１１が使用するプログラムや，演算パラメータ等を記憶する。ＲＡＭ１１３は，ＣＰＵ１１１の実行において使用するプログラムや，その実行において適宜変化するパラメータ等を一時記憶する。また，ＲＡＭ１１３は，情報処理装置１００が携帯再生装置１０２から取得した後述の削除済リスト，削除予定リスト，管理予定リスト等を一時的に保存するために利用することもできる。これらはＣＰＵバスなどから構成されるホストバス１１４により相互に接続されている。
【００３０】
ホストバス１１４は，ブリッジ１１５を介して，ＰＣＩ（Ｐｅｒｉｐｈｅｒａｌ  Ｃｏｍｐｏｎｅｎｔ  Ｉｎｔｅｒｃｏｎｎｅｃｔ／ｉｎｔｅｒｆａｃｅ）バスなどの外部バス１１６に接続されている。
【００３１】
入力装置１１８は，例えば，マウス，キーボード，タッチパネル，ボタン，スイッチ，レバー等の操作手段と，入力信号を生成してＣＰＵ１１１に出力する入力制御回路などから構成されている。情報処理装置１００のユーザは，この入力装置１１８を操作することにより，情報処理装置１００に対して各種のデータを入力したり処理動作を指示したりすることができる。
【００３２】
出力装置１２０は，例えばＣＲＴ（Ｃａｔｈｏｄｅ  Ｒａｙ  Ｔｕｂｅ）ディスプレイ装置，液晶ディスプレイ（ＬＣＤ）装置，ランプ等の表示装置と，スピーカ等の音声出力装置などで構成される。この出力装置１２０は，例えば再生されたコンテンツを出力する。具体的には，表示装置は再生された映像コンテンツをテキストまたはイメージで動画若しくは静止画で表示する。一方，音声出力装置は，再生された音声コンテンツを発音する。
【００３３】
ＨＤＤ１２１は，本実施形態にかかる情報処理装置１００の記憶手段の一例として構成されたデータ格納用の装置である。このＨＤＤ１２１は，ＣＰＵ１１１が実行するプログラムや各種データを格納する。また，このＨＤＤ１１１には，例えば，コンテンツなどの各種データが格納される。また，上述の削除済リスト，削除予定リスト，管理リスト等がＨＤＤ１１１に格納されてもよい。
【００３４】
ドライブ１２２は，記憶媒体用リーダ／ライタであり，情報処理装置１００に内蔵，或いは外付けされる。このドライブ１２２は，情報処理装置１００にローディングされた磁気ディスク（ＨＤ等），光ディスク（ＣＤ，ＤＶＤ等）光磁気ディスク（ＭＯ等），または半導体メモリ等のリムーバブル記憶媒体に対してコンテンツなどの各種データを記録／再生する。
【００３５】
具体的には，ドライブ１２２は，リムーバル記憶媒体に記憶されているデータを読み出して，インタフェース１１７，外部バス１１６，ブリッジ１１５，およびホストバス１１４を介して接続されているＲＡＭ１１３に供給する。ＣＰＵ１１１は，必要に応じて，これらのデータをＨＤＤ１２１などに格納する。一方ドライブ１２２は，ＲＯＭ１１２またはＨＤＤ１２１などに格納されているデータや，新たに生成したデータ，外部装置から取得したデータをＣＰＵ１１１から受け取り，リムーバブル記憶媒体に書き込む。
【００３６】
接続ポート１２４は，例えば，情報処理装置１００と携帯再生装置１０２などの外部周辺機器とを接続するポートであり，ＵＳＢ，ＩＥＥＥ１３９４等の接続端子を有する。接続ポート１２４は，インタフェース１１７，および外部バス１１６，ブリッジ１１５，ホストバス１１４等を介してＣＰＵ１１１等に接続されている。かかる接続ポート１２４によって，情報処理装置１００は，携帯再生装置１０２等に対して接続線を介して接続され，各種のデータを通信可能となる。
【００３７】
通信装置１２５は，例えば，ネットワーク１０４に接続するための通信デバイス等で構成された通信インタフェースである。この通信装置１２５は，他の情報処理装置や，コンテンツ配信サーバ１０６等の外部機器との間で，ネットワーク１０４を介してコンテンツなどの各種データを送受信する。
【００３８】
＜情報処理装置の機能構成＞
次に，図３に基づいて，情報処理装置１００の機能構成について説明する。情報処理装置１００は，接続検出部２０２，管理リスト取得部２０４，削除予定リスト取得部２０６，削除済リスト取得部２０８，削除実行部２１０，削除済リスト更新部２１２，コンテンツ記憶部２１４，送信コンテンツ取得部２１６，送信可否判断部２１８，コンテンツ送信部２２０，選択部２２２，管理リスト更新部２２４，削除予定リスト更新部２２６を主に備える。
【００３９】
接続検出部２０２は，携帯再生装置１０２が情報処理装置１００に接続されたことを検出する。
【００４０】
管理リスト取得部２０４は，接続されている携帯再生装置１０２から管理リストを取得する。管理リストは，携帯再生装置１０２が保有しているコンテンツの一覧を示すリストである。具体的には，管理リストには，携帯再生装置１０２の記憶装置に記憶されている全てのコンテンツの識別子が含まれる。管理リストは，例えば携帯再生装置１０２の記憶装置に記憶されており，コンテンツが新たに携帯再生装置１０２の記憶装置に記憶された場合や，記憶されていたコンテンツが削除された場合などに，携帯再生装置１０２自身，または接続されている情報処理装置１００の後述の管理リスト更新部２２４によって更新される。
【００４１】
削除予定リスト取得部２０６は，接続されている携帯再生装置１０２から削除予定リストを取得する。削除予定リストは，携帯再生装置１０２から削除される予定のコンテンツの一覧を示すリストである。削除される予定のコンテンツとは，携帯再生装置１０２においてユーザから削除を要求されたコンテンツである。上述のように，携帯再生装置１０２は自身でコンテンツの削除を行うことができない。そのため，例えば携帯再生装置１０２が備えるボタン等の入力装置を介してユーザからコンテンツの削除を要求された場合，携帯再生装置１０２はそのコンテンツの識別子を削除予定リストに書き込む。そして，接続されている情報処理装置１００の後述の削除実行部２１０により，その削除予定リストに基づいて携帯再生装置１０２の記憶装置からコンテンツが削除される。そして，削除実行部２１０によりコンテンツが削除されると，情報処理装置１００の後述の削除予定リスト更新部２２６により削除予定リストが更新される。
【００４２】
削除済リスト取得部２０８は，接続されている携帯再生装置１０２から削除済リストを取得する。削除済リストは，携帯再生装置１０２から削除されたコンテンツの一覧を示すリストである。具体的には，削除済リストには，携帯再生装置１０２の記憶装置から削除されたコンテンツの識別子が含まれる。削除済リストは，例えば携帯再生装置１０２の記憶装置に記憶されており，情報処理装置１００の後述の削除実行部２１０により携帯再生装置１０２からコンテンツが削除された場合に，情報処理装置１００の後述の削除済リスト更新部２１２により更新される。
【００４３】
削除実行部２１０は，接続された携帯再生装置１０２からコンテンツを削除する。具体的には，削除実行部２１０は，上述の削除予定リスト取得部２０６が携帯再生装置１０２から取得した削除予定リストに基づいて，削除予定リストに含まれている識別子に対応するコンテンツを，携帯再生装置１０２の記憶装置から削除する。
【００４４】
削除済リスト更新部２１２は，携帯再生装置１０２の削除済リストを更新する。具体的には，削除済リスト更新部２１２は，上述の削除実行部２１０が携帯再生装置１０２からコンテンツを削除した場合に，上述の削除済リスト取得部２０８が携帯再生装置１０２から取得した削除済リストから，該当するコンテンツの識別子を消去する。また，削除済リスト更新部２１２は，後述の選択部２２２によって選択されたコンテンツの識別子が削除済リストに含まれている場合に，その識別子を削除済リストから削除する。
【００４５】
管理リスト更新部２２４は，携帯再生装置１０２の管理リストを更新する。具体的には，後述のコンテンツ送信部２２０が携帯再生装置１０２にコンテンツを転送した場合や，上述の削除実行部２１０が携帯再生装置１０２からコンテンツを削除した場合に，上述の管理リスト取得部２０４が携帯再生装置１０２から取得した管理リストに対して，該当するコンテンツの識別子を追加または消去する。
【００４６】
削除予定リスト更新部２２６は，携帯再生装置１０２の削除予定リストを更新する。具体的には，上述の削除実行部２１０が携帯再生装置１０２から削除予定リストに基づいてコンテンツを削除した場合に，上述の削除予定リスト取得部２０６が携帯再生装置１０２から取得した削除予定リストから該当するコンテンツの識別子を消去する。
【００４７】
コンテンツ記憶部２１４は，コンテンツを記憶する記憶装置である。情報処理装置１００は，コンテンツ配信サーバ１０６から取得したコンテンツや，リッピングしたコンテンツなどをコンテンツ記憶部２１４に格納する。また，情報処理装置１００は，コンテンツ記憶部２１４に記憶されているコンテンツを，携帯再生装置１０２に転送することができる。コンテンツ記憶部２１４には，コンテンツを構成するデータと，コンテンツの識別子とが関連付けられて記憶されている。
【００４８】
送信コンテンツ取得部２１６は，携帯再生装置１０２に転送するコンテンツをコンテンツ記憶部２１４から取得する。具体的には例えば，ユーザによって後述の選択部２２２を介して選択されたコンテンツを，その識別子に基づいてコンテンツ記憶部２１４から取得する。また，情報処理装置１００と携帯再生装置１０２のコンテンツを同期させる場合に，送信コンテンツ取得部２１６は，コンテンツ記憶部２１４に記憶されている全てのコンテンツを取得する。または，コンテンツ記憶部２１４に記憶されているコンテンツの中で，同期対象の携帯再生装置１０２に存在しないコンテンツを取得する。より詳細には，管理リスト取得部２０４によって取得された，接続されている携帯再生装置１０２の管理リストに基づいて，管理リストに含まれないコンテンツを，その識別子に基づいてコンテンツ記憶部２１４から取得する。そのようにすれば，携帯再生装置１０２が既に保有しているコンテンツを転送してしまうことを防止できる。
【００４９】
送信可否判断部２１８は，送信コンテンツ取得部２１６によって取得されたコンテンツの，携帯再生装置１０２への送信の可否を判断する。具体的には，送信可否判断部２１８は，削除済リスト取得部２０８が携帯再生装置１０２から取得した削除済リストに基づいて，削除済リストに含まれる識別子に対応するコンテンツを携帯再生装置１０２へ転送しないように制御する。削除済リストに含まれる識別子をもつコンテンツは，携帯再生装置１０２から削除されたコンテンツである。上記構成によれば，一度削除されたコンテンツを再度携帯再生装置１０２に転送してしまうことを防止できる。ただし，ユーザが明示的に転送を希望したコンテンツについては，削除済リストに含まれていても転送することが望ましい。そこで，上述の送信コンテンツ取得部２１６は，選択部２２２を介してユーザにより選択されたコンテンツをコンテンツ記憶部２１４から取得した場合には，そのコンテンツについては送信可否判断部２１８による判断処理をスキップさせてコンテンツ送信部２２０に提供するようにしてもよい。または，送信コンテンツ取得部２１６が，選択部２２２を介して選択されたコンテンツには識別フラグを立てておき，送信可否判断部２１８は，その識別フラグが立っているコンテンツについては削除済リストにその識別子が含まれているか否かにかかわらず携帯再生装置１０２への転送を許可するようにしてもよい。または，送信可否判断部２１８が判断処理を行う以前に，削除済リスト更新部２２４によって，選択部２２２を介して選択されたコンテンツの識別子が削除済リストから消去されるようにしてもよい。
【００５０】
コンテンツ送信部２２０は，送信可否判断部２１８によって携帯再生装置１０２への転送を許可されたコンテンツを，接続されている携帯再生装置１０２に送信する。
【００５１】
選択部２２２は，情報処理装置１００が備えるキーボード，マウス等の入力装置を含んで構成され，ユーザにより入力装置を介して選択されたコンテンツの情報を送信コンテンツ取得部２１６に提供する。
【００５２】
以上，情報処理装置１００の機能構成について説明した。次に，図４，図５に基づいて，情報処理装置１００が携帯再生装置１０２にコンテンツを転送する処理について詳細に説明する。
【００５３】
＜コンテンツの自動転送処理の説明＞
まず，図４を参照して，情報処理装置１００が携帯再生装置１０２と保有コンテンツを同期させるべく自動的にコンテンツを転送する場合について説明する。なお，コンテンツの同期を行うタイミングとしては，例えば携帯再生装置１０２が情報処理装置１００に接続されたタイミングや，情報処理装置１００のＧＵＩを介してユーザに同期の実行が指定されたタイミング，所定の周期毎などが考えられる。
【００５４】
同期のタイミングが到来すると，情報処理装置１００の管理リスト取得部２０４が，携帯再生装置１０２から管理リスト１００２を取得する。管理リスト取得部２０４は，取得した管理リスト１００２を送信コンテンツ取得部２１６に提供する。送信コンテンツ取得部２１６は，管理リスト１００２に基づいて，携帯再生装置１０２に転送するコンテンツをコンテンツ記憶部２１４から取得する。つまり，管理リスト１００２に含まれない識別子をもつコンテンツをコンテンツ記憶部２１４から取得する。図４の例によれば，送信コンテンツ取得部２１６は，管理リスト１００２に含まれていないコンテンツ識別子（ＣＩＤ）＝０００２，０２００，１２５０のコンテンツをコンテンツ記憶部２１４から取得する。
【００５５】
情報処理装置１００の削除済リスト取得部２０８は，削除済リスト１００４を携帯再生装置１０２から取得する。そして，送信コンテンツ取得部２１６がコンテンツ記憶部２１４から取得したコンテンツの識別子と，削除済リスト取得部２０８が携帯再生装置１０２から取得した削除済リスト１００４は，送信可否判断部２１８に提供される。送信可否判断部２１８は，削除済リスト１００４に含まれる識別子のコンテンツは携帯再生装置１０２に転送しないように制御する。図４の例によれば，送信コンテンツ取得部２１６が取得したコンテンツのうち，ＣＩＤ＝０２００は削除済リスト１００４に含まれるため，送信可否判断部２１８はこのコンテンツの転送を許可しない。従って，ＣＩＤ＝０００２，１２５０のコンテンツのみ転送することを許可される。
【００５６】
送信可否判断部２１８によってコンテンツの転送可否が判断された後に，コンテンツ送信部２２０は転送が許可されたコンテンツを携帯再生装置１０２に送信する。図４の例によれば，コンテンツ送信部２２０は，転送が許可されたＣＩＤ＝０００２，１２５０のコンテンツを携帯再生装置１０２に送信する。
【００５７】
そして，管理リスト更新部２２４が，コンテンツの転送を携帯再生装置１０２の管理リスト１００２に反映させる。つまり，管理リスト更新部２２４は，コンテンツ送信部２２０が携帯再生装置１０２に送信したコンテンツの識別子を，携帯再生装置１０２の管理リスト１００２に追加する。
【００５８】
上記構成によれば，情報処理装置１００は，自己が保有しているコンテンツから，接続された携帯再生装置１０２が保有していないコンテンツを携帯再生装置１０２に転送することができる。その場合に，削除済リスト１００４に基づいて送信可否が判断されることによって，情報処理装置１００は，携帯再生装置１０２において削除されたコンテンツを再度その携帯再生装置１０２に転送してしまうことを防止できる。なお，送信可否判断部２１８は，削除済リストとともに削除予定リストにも基づいてコンテンツの送信可否を判断してもよい。
【００５９】
＜選択コンテンツの転送処理の説明＞
次に，図５を参照して，情報処理装置１００が，ユーザに選択されたコンテンツを携帯再生装置１０２に転送する場合について説明する。
【００６０】
まず，選択部２２２を介してユーザにより転送を希望するコンテンツが選択される。本例では，ＣＩＤ＝０２００のコンテンツが選択されたこととする。送信コンテンツ取得部２１６は，選択されたコンテンツをコンテンツ記憶部２１４から取得する。そして，送信コンテンツ取得部２１６は，取得したコンテンツをコンテンツ送信部２２０に提供する。コンテンツ送信部２２０は，ＣＩＤ＝０２００のコンテンツを携帯再生装置１０２に送信する。
【００６１】
その後，削除済リスト更新部２１２は，携帯再生装置１０２の削除済リスト１００４を更新し，管理リスト更新部２２４は携帯再生装置１０２の管理リスト１００２を更新する。つまり，削除済リスト更新部２１２は，携帯再生装置１０２の削除済リスト１００４にＣＩＤ＝０２００が含まれている場合には，その識別子を削除済リスト１００４から消去する。管理リスト更新部２２４は，携帯再生装置１０２に転送されたコンテンツの識別子（ＣＩＤ＝０２００）を，携帯再生装置１０２の管理リスト１００２に追加する。
【００６２】
上記構成によれば，一度携帯再生装置１０２から削除されたコンテンツであっても，ユーザにより明示的に転送を指示された場合には，情報処理装置１００は当該コンテンツを携帯再生装置１０２に転送することができる。
【００６３】
以上，情報処理装置１００が携帯再生装置１０２にコンテンツを転送する処理について詳細に説明した。次に，図６に基づいて，情報処理装置１００が携帯再生装置１０２からコンテンツを削除する処理について詳細に説明する。
【００６４】
＜コンテンツの削除処理の説明＞
情報処理装置１００が携帯再生装置１０２からコンテンツを削除するタイミングとしては，例えば，携帯再生装置１０２が情報処理装置１００に接続されたタイミング，情報処理装置１００のＧＵＩを介してユーザにより削除を指示されたタイミング，所定の周期毎等が考えられる。以下では，携帯再生装置１０２が情報処理装置１００に接続されたタイミングで削除処理が実行される場合について説明する。
【００６５】
携帯再生装置１０２が情報処理装置１００に接続されると，情報処理装置１００の接続検出部２０２が接続を検出する。そして，接続検出部２０２は，携帯再生装置１０２との接続の検出を削除予定リスト取得部２０６に通知する。
【００６６】
削除予定リスト取得部２０６は，接続されている携帯再生装置１０２から削除予定リスト１００６を取得する。また，削除済リスト取得部２０８は携帯再生装置１０２から削除済リスト１００４を取得する。そして，削除実行部２１０が，削除予定リスト１００６に基づいて，削除予定リスト１００６に含まれている識別子をもつコンテンツを携帯再生装置１０２から削除する。削除が実行されると，削除予定リスト更新部２２６は，削除されたコンテンツの識別子を削除予定リスト１００６から消去する。一方，削除済リスト更新部２１２は，削除されたコンテンツの識別子を削除済リスト１００４に追加する。また，管理リスト更新部２２４は，削除されたコンテンツの識別子を携帯再生装置１０２の管理リスト１００２から消去する。
【００６７】
上記構成によれば，携帯再生装置１０２が，自身が保有するコンテンツを削除できる処理能力を備えていなくとも，情報処理装置１００と接続された際に情報処理装置１００によってコンテンツを削除してもらうことができる。また，携帯再生装置１０２は，情報処理装置１００と接続されていない間でも，削除予定リストに識別子を書き込むというかたちで，ユーザからのコンテンツの削除要求を受け付けることができる。
【００６８】
以上，情報処理装置１００が携帯再生装置１０２からコンテンツを削除する処理について詳細に説明した。次に，図７に基づいて，情報処理装置１００が携帯再生装置１０２にコンテンツを自動で転送する処理の流れについて説明する。
【００６９】
＜自動転送処理の流れ＞
まず，情報処理装置１００は，ステップＳ１０２で，携帯再生装置１０２に存在しないコンテンツの識別子を取得する。つまり，携帯再生装置１０２の管理リストに基づいて，管理リストに存在しないコンテンツの識別子をコンテンツ記憶部２１４から取得する。次に，情報処理装置１００は，Ｓ１０２で取得した識別子が削除済リストに存在するかを調べる（Ｓ１０４）。存在しない場合には，その識別子をもつコンテンツを携帯再生装置１０２に送信する（Ｓ１０６）。一方，削除済リストに該当コンテンツ識別子が存在する場合には，そのコンテンツは携帯再生装置１０２には送信しない。そして，情報処理装置１００は，自己が保有しており，携帯再生装置１０２に存在しないコンテンツが残っているかを調べ（Ｓ１０８），残っている場合にはＳ１０２に戻る。このように，携帯再生装置１０２に存在しない全てのコンテンツについて削除済リストに基づいて転送可否を判断し，削除済リストに識別子が含まれていないコンテンツを携帯再生装置１０２に転送する。
【００７０】
以上，情報処理装置１００が携帯再生装置１０２にコンテンツを自動で転送する処理の流れについて説明した。次に，図８および図９に基づいて，携帯再生装置１０２からコンテンツを削除する処理について説明する。
【００７１】
＜削除処理の流れ＞
まず，携帯再生装置１０２の削除ボタンが押下される（Ｓ２０２）。つまり，携帯再生装置１０２に備えられるボタン等の入力装置を介して，ユーザにより，携帯再生装置１０２から任意のコンテンツの削除が要求される。例えば，ユーザはコンテンツの視聴中に削除ボタンを押下することにより，視聴中のコンテンツの削除を要求することができる。携帯再生装置１０２は，削除ボタンが押下されると，削除要求の対象であるコンテンツの識別子を取得して（Ｓ２０４），対象のコンテンツを特定する。そして，携帯再生装置１０２は，Ｓ２０４で取得した識別子が，携帯再生装置１０２内に備えられる削除予定リストに存在するかを調べる（Ｓ２０６）。存在しない場合には，携帯再生装置１０２は，削除予定リストにそのコンテンツの識別子を追加する。このように，携帯再生装置１０２内の削除予定リストには，ユーザによって携帯再生装置１０２からの削除を要求されたコンテンツの識別子が，携帯再生装置１０２によって書き込まれる。
【００７２】
次に，図９の説明に移る。携帯再生装置１０２が情報処理装置１００に接続されると，情報処理装置１００は接続を検出する（Ｓ３０２）。接続を検出すると，情報処理装置１００は，接続されている携帯再生装置１０２から削除予定リストを取得し，削除予定リストに含まれているコンテンツの識別子を取得する（Ｓ３０４）。そして，情報処理装置１００は，取得した識別子に対応するコンテンツを，携帯再生装置１０２から削除する（Ｓ３０６）。削除に成功すると，情報処理装置１００は，削除したコンテンツの識別子を携帯再生装置１０２内の管理リストから消去する（Ｓ３０８）。また，情報処理装置１００は，削除したコンテンツの識別子が，携帯再生装置１０２内の削除済リストに含まれているかを調べ（Ｓ３１０），含まれていない場合には，その識別子を削除済リストに追加する（Ｓ３１２）。そして，情報処理装置１００は，削除したコンテンツの識別子を削除予定リストから消去する（Ｓ３１４）。情報処理装置１００は，Ｓ３０４からＳ３１４までの処理を，削除予定リストに含まれている全てのコンテンツの識別子について行い，Ｓ３１６において削除予定リストにコンテンツの識別子が残っていない状態になると処理を終了する。
【００７３】
上記のように，本実施形態において，携帯再生装置１０２内のコンテンツは，削除予定リストに基づいて情報処理装置１００によって削除される。
【００７４】
＜削除予定リストの使用例＞
次に，図１０に基づいて，削除予定リストの他の使用方法について説明する。図１０では，携帯再生装置１０２がコンテンツを再生する際に削除予定リストを参照する。携帯再生装置１０２は，例えば，携帯再生装置１０２内の記憶装置に記憶されているコンテンツを順番に再生する場合や，ランダムに再生する場合などに，再生対象のコンテンツの識別子が削除予定リストに存在するかを調べる（Ｓ４０２）。存在しなければ，携帯再生装置１０２はそのコンテンツを再生し（Ｓ４０４），存在する場合には携帯再生装置１０２はそのコンテンツを再生せずに，次の再生対象のコンテンツに処理対象を移動する（Ｓ４０６）。かかる構成によれば，携帯再生装置１０２は，ユーザから削除を要求されたコンテンツを再生してしまうことを防止できる。そのため，実際には携帯再生装置１０２からコンテンツが削除されていなくても，ユーザにはあたかも削除を要求したコンテンツが携帯再生装置１０２から削除されているようにみせることができる。
【００７５】
また，削除予定リストに含まれているコンテンツを，ユーザが確認できるようにしてもよい。図１１は，携帯再生装置１０２が備える画面上に，削除予定リストに含まれているコンテンツに関する情報を表示する例を示した図面である。例えば，図１１（ａ）に示したように，削除予定リストに含まれているコンテンツに対応する楽曲名等の一覧を携帯再生装置１０２の画面に表示してもよい。また，図１１（ｂ）に示したように，携帯再生装置１０２は，コンテンツの再生順序を示すプレイリストを画面に表示する際に，削除予定リストに含まれているコンテンツに，そのことが分かるようなアイコン（図示の例では，ごみ箱の形のアイコンとする）を付加して表示するようにしてもよい。
【００７６】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００７７】
例えば，上記実施形態では，携帯再生装置１０２内のコンテンツは，携帯再生装置１０２内の削除予定リストに登録された後に，接続された情報処理装置１００によって削除された。しかし，本発明はかかる例には限定されない。例えば，携帯再生装置内のコンテンツを，携帯再生装置自身が削除するようにしてもよい。また，情報処理装置が携帯再生装置内のコンテンツを削除する場合でも，上記のように削除予定リストに基づくのではなく，情報処理装置のＧＵＩを介してユーザによって指定されたコンテンツを携帯再生装置から削除するようにしてもよい。
【００７８】
また，上記実施形態では，携帯再生装置１０２から削除されたコンテンツのリストである削除済リストを携帯再生装置１０２が保有していた。しかし，本発明はかかる例には限定されない。例えば，削除済リストを情報処理装置が保有していてもよいし，携帯再生装置と情報処理装置の双方が保有していてもよい。情報処理装置が削除済リストを保有している場合，その情報処理装置に接続された全ての携帯再生装置に対して，情報処理装置が保有している削除済リストに含まれているコンテンツは転送しないという処理を行うことができる。そのため，例えば一人のユーザが複数の携帯再生装置を所有している場合，いずれかの携帯再生装置で一度削除したコンテンツは，その後どの携帯再生装置を情報処理装置に接続した場合でも転送されないので，ユーザは各携帯再生装置で同じコンテンツを削除しなくても済む。
【図面の簡単な説明】
【００７９】
【図１】本発明の実施形態の全体構成を示す説明図である。
【図２】同実施の形態にかかる情報処理装置のハードウェア構成を示すブロック図である。
【図３】同実施の形態にかかる情報処理装置の機能構成を示すブロック図である。
【図４】同実施の形態にかかる情報処理装置におけるコンテンツ転送処理を説明する図である。
【図５】同実施の形態にかかる情報処理装置におけるコンテンツ転送処理を説明する図である。
【図６】同実施の形態にかかる情報処理装置における携帯再生装置からのコンテンツ削除処理を説明する図である。
【図７】同実施の形態におけるコンテンツ転送処理を示すフローチャートである。
【図８】同実施の形態におけるコンテンツ削除処理を示すフローチャートである。
【図９】同実施の形態におけるコンテンツ削除処理を示すフローチャートである。
【図１０】同実施の形態における携帯再生装置のコンテンツ再生処理を示すフローチャートである。
【図１１】同実施の形態にかかる携帯再生装置における削除予定リストの表示例を示す説明図である。
【符号の説明】
【００８０】
１００      情報処理装置
１０２      携帯再生装置
１０４      ネットワーク
１０６      コンテンツ配信サーバ
２０２      接続検出部
２０４      管理リスト取得部
２０６      削除予定リスト取得部
２０８      削除済リスト取得部
２１０      削除実行部
２１２      削除済リスト更新部
２１４      コンテンツ記憶部
２１６      送信コンテンツ取得部
２１８      送信可否判断部
２２０      コンテンツ送信部
２２２      選択部
２２４      管理リスト更新部
２２６      削除予定リスト更新部
１００２      管理リスト
１００４      削除済リスト
１００６      削除予定リスト
【図１】
0004508028.tif 000002
【図２】
0004508028.tif 000003
【図３】
0004508028.tif 000004
【図４】
0004508028.tif 000005
【図５】
0004508028.tif 000006
【図６】
0004508028.tif 000007
【図７】
0004508028.tif 000008
【図８】
0004508028.tif 000009
【図９】
0004508028.tif 000010
【図１０】
0004508028.tif 000011
【図１１】
0004508028.tif 000012